(57)【特許請求の範囲】
【請求項１】
画像形成装置の各種プロセスユニットとこれらに高電圧を供給する高圧電源を備えた高圧基板とを電気的の接続する高圧接点を保持する高圧接点端子台において、
前記高圧接点をバネ接点で構成するとともに、該バネ接点を保持する高絶縁性の接点保持部材に前記高圧基板を固定する固定部と前記プロセスユニットを位置決めするための位置決め部を設けたことを特徴とする高圧接点端子台。
【請求項２】
前記接点保持部材を２分割して第１の接点保持部材と第２の接点保持部材とで構成し、前記高圧基板と接触するバネ接点を前記第１の接点保持部材に設けるとともに、該第１接点保持部材に前記固定部を設け、前記プロセスユニットに接触するバネ接点を前記第２の接点保持部材に設けたことを特徴とする請求項１記載の高圧接点端子台。
【請求項３】
前記第２の接点保持部材に前記プロセスユニットを位置決めするために位置決め部を設けたことを特徴とする請求項２記載の高圧接点端子台。
【発明の詳細な説明】
【技術分野】
【０００１】
本発明は、画像形成装置の各種プロセスユニットとこれらに高電圧を供給する高圧電源を備えた高圧基板とを電気的に接続する高圧接点を保持する高圧接点端子台に関するものである。
【背景技術】
【０００２】
電子写真方式によって画像を形成するプリンタや複写機等の画像形成装置には、像担持体ユニット、帯電ユニット、現像ユニット、転写ユニット、クリーニングユニット、定着ユニット等の高電圧を必要とする各種プロセスユニットが設けられているが、これらのプロセスユニットに高電圧を供給するための高圧電源を備えた高圧基板と各種プロセスユニットとは離れた位置にそれぞれ配置されている。
【０００３】
そこで、高圧接点端子台に保持された複数の高圧接点と高圧基板の各端子とを接続するとともに、各高圧接点に各種プロセスユニットから延びる電線の端部に取り付けられた例えば丸端子を接続することによって各種プロセスユニットと高圧基板とを電気的に接続する方式が採用されている。
【０００４】
又、画像形成装置に限らず適用される着脱型の接点端子台についても各種の提案がなされている（例えば、特許文献２，３参照）。
【特許文献１】特開２００７−０７１９９９号公報
【特許文献２】特開２００５−２５７９１６号公報
【特許文献３】特開２００４−２４０４０３号公報
【発明の開示】
【発明が解決しようとする課題】
【０００５】
画像形成装置において従来用いられている高圧接点端子台においては、これに保持された高圧接点には、高圧基板の各端子に弾性的に接触して所定の接触圧を保持することができる板バネが使用され、各種プロセスユニットから延びる電線の端部に取り付けられた端子と板バネとをネジ等の締結部品で締結する構成が採用されていたため、端子の板バネへの取り付け及び取り外しが面倒で、多くの高圧接点が設けられたカラー画像形成装置等においては、その作業に多くの時間を費やし、作業能率が悪いという問題があった。
【０００６】
又、高圧基板はネジや締結専用の部品によって装置本体に取り付けられていたため、その取り付けに手間と時間を要し、部品点数が増大してコストアップを招くという問題もあった。
【０００７】
本発明は上記問題に鑑みてなされたもので、その目的とする処は、各種プロセスユニットと高圧基板とを簡単且つ効率良く接続することができるとともに、高圧基板をネジ等の締結具を用いることなく簡単に装着することができる高圧接点端子台を提供することにある。
【課題を解決するための手段】
【０００８】
上記目的を達成するため、請求項１記載の発明は、画像形成装置の各種プロセスユニットとこれらに高電圧を供給する高圧電源を備えた高圧基板とを電気的の接続する高圧接点を保持する高圧接点端子台において、前記高圧接点をバネ接点で構成するとともに、該バネ接点を保持する高絶縁性の接点保持部材に前記高圧基板を固定する固定部と前記プロセスユニットを位置決めするための位置決め部を設けたことを特徴とする。
【００１０】
請求項２記載の発明は、請求項１記載の発明において、前記接点保持部材を２分割して第１の接点保持部材と第２の接点保持部材とで構成し、前記高圧基板と接触するバネ接点を前記第１の接点保持部材に設けるとともに、該第１接点保持部材に前記固定部を設け、前記プロセスユニットに接触するバネ接点を前記第２の接点保持部材に設けたことを特徴とする。
【００１１】
請求項３記載の発明は、請求項２記載の発明において、前記第２の接点保持部材に前記プロセスユニットを位置決めするために位置決め部を設けたことを特徴とする。
【発明の効果】
【００１２】
請求項１記載の発明によれば、接点保持部材に設けられた固定部によって高圧基板をネジ等の締結具を用いることなく高圧接点端子台に簡単に装着することができ、高圧接点端子台に保持されたバネ接点を介して高圧基板と各種プロセスユニットとを簡単且つ効率良く接続することができる。
【００１３】
又、請求項１記載の発明によれば、接点保持部材に設けられた位置決め部によってプロセスユニットを容易且つ正確に位置決めして装着することができる。
【００１４】
請求項２記載の発明によれば、第１の接点保持部材に設けられた固定部によって高圧基板をネジ等の締結具を用いることなく高圧接点端子台に簡単に装着することができ、高圧接点端子台に保持されたバネ接点を介して高圧基板と各種プロセスユニットとを簡単且つ効率良く接続することができる。
【００１５】
請求項３記載の発明によれば、第２の接点保持部材に設けられた位置決め部によってプロセスユニットを容易且つ正確に位置決めして装着することができる。
【発明を実施するための最良の形態】
【００１６】
以下に本発明の実施の形態を添付図面に基づいて説明する。
【００１７】
図１は本発明に係る高圧接点端子台を備えた画像形成装置の本体フレームの外面斜視図、図２は同本体フレームの内面斜視図、図３はカラー用の高圧接点端子台の外面斜視図、図４は同カラー用の高圧接点端子台の内面斜視図、図５はブラック用の高圧接点端子台の第１の接点保持部材と高圧基板の斜視図、図６は図５の要部拡大詳細図、図７はブラック用の高圧接点端子台の第１の接点保持部材の斜視図、図８はブラック用の高圧接点端子台の第２の接点保持部材の斜視図である。
【００１８】
本発明に係る高圧接点端子台は、フルカラーのレーザビームプリンタの像担持体ユニット、帯電ユニット、現像ユニット、転写ユニット、クリーニングユニット、定着ユニット等の高電圧を必要とする各種プロセスユニットとこれらに高電圧を供給するための高圧電源を備えた高圧基板とを電気的に接続するものであって、図１に示すように、マゼンタ、シアン及びイエローのカラー用の３つの高圧接点端子台１とブラック用の１つの高圧接点端子台１１が本体フレーム５０に取り付けられている。尚、カラー用の３つの高圧接点端子台１の構成は全て同じである。
【００１９】
ここで、カラー用の高圧接点端子台１の構成を図３及び図４に基づいて説明する。
【００２０】
カラー用の高圧接点端子台１は、絶縁性の高い樹脂にて一体成形された接点保持部材２を有しており、その上面には不図示のプロセスユニットを位置決めするための位置決め部３が一体に立設されている。そして、接点保持部材２の上部には、前記位置決め部３によって位置決めされて本体フレーム５０に装着された不図示のプロセスユニットが接触する高圧接点としてのコイルバネ状の３つのバネ接点４ａ，４ｂ，４ｃが設けられている。
【００２１】
又、図４に示すように、接点保持部材２の下部内面には、図１に示す高圧基板６０を固定するための固定部５が一体に突設されており、この固定部５の上面にはリブ状の高圧受け面５ａが形成されている。そして、固定部５には、高圧基板６０に接触する高圧接点としてのコイルバネ状のバネ接点６ａ，６ｂ，６ｃが設けられており、これらのバネ接点６ａ〜６ｃは、図３に示すように、接点保持部材２の外面に沿うワイヤー７ａ，７ｂ，７ｃによってバネ接点４ａ，４ｂ，４ｃにそれぞれ連結されている。尚、接点保持部材２の外面下部には、図３に示すように、本体フレーム５０への固定部８が外方に向かって水平に突設されている。
【００２２】
次に、ブラック用の高圧接点端子台１１の構成を図５〜図８に基づいて説明する。
【００２３】
ブラック用の高圧接点端子台１１は、２分割された第１の接点保持部材１２と第２の接点保持部材２２を備えており、これらの第１の接点保持部材１２と第２の接点保持部材２２は何れも絶縁性の高い樹脂で一体成形されている。
【００２４】
上記第１の接点保持部材１２の内面には、図５及び図６に示すように、高圧基板６０を固定するための固定部１５が一体に突設されており、高圧基板６０はこの固定部１５によって図示のように第１の接点保持部材１２に保持されて装着される。又、第１の接点保持部材１２の内面下部には、図７に示すように、高圧基板６０に接触する高圧接点としてのコイルバネ状の３つのバネ接点１４ａ，１４ｂ，１４ｃが水平に並設されており、第１の接点保持部材１２には同じく高圧接点としてのコイルバネ状の３つのバネ接点１６ａ，１６ｂ，１６ｃが上下方向に配置されている。尚、バネ接点１４ａ〜１４ｃとバネ接点１６ａ〜１６ｃとは不図示のワイヤーによってそれぞれ互いに連結されている。
【００２５】
他方、第２の接点保持部材２２の上面には、不図示のプロセスユニットを位置決めするための位置決め部２３が一体に立設されている。そして、第２の接点保持部材２２の上部には、前記位置決め部２３によって位置決めされて本体フレーム５０に装着された不図示のプロセスユニットが接触する高圧接点としてのコイルバネ状の３つのバネ接点２４ａ，２４ｂ，２４ｃが設けられている。
【００２６】
又、第２の接点保持部材２２の側部には、第１の接点保持部材１２に設けられた前記バネ接点１６ａ〜１６ｃにそれぞれ接続される高圧接点としてのコイルバネ状の３つのバネ接点２６ａ，２６ｂ，２６ｃが上下方向に配設されており、これらのバネ接点２６ａ〜２６ｃと前記バネ接点２４ａ〜２４ｃとはワイヤー２７ａ，２７ｂ，２７ｃによってそれぞれ互いに連結されている。
【００２７】
以上のように構成された３つのカラー用の高圧接点端子台１とブラック用の１つの高圧接点端子台１１が図１に示すように本体フレーム５０に装着されると、これらのカラー用の高圧接点端子台１に設けられた位置決め部３とブラック用の高圧接点端子台１１に設けられた位置決め部２３が図２に示すように本体フレーム５０の内側に露出し、不図示のマゼンタ、シアン及びイエローのプロセスユニットは位置決め部３に沿って、ブラックのプロセスユニットは位置決め部２３に沿ってそれぞれ本体フレーム５０に装着されて正確に位置決めされる。
【００２８】
上述のようにプロセスユニットが位置決めされて本体フレーム５０に装着されると、マゼンタ、シアン及びイエローの各プロセスユニットがカラー用の高圧接点端子台１のバネ接点４ａ〜４ｃ及び６ａ〜６ｃを介して高圧基板６０に接続されるとともに、ブラック用のプロセスユニットがブラック用の高圧接点端子台１１に設けられたバネ接点２４ａ〜２４ｃ、２６ａ〜２６ｃ、１６ａ〜１６ｃ及び１４ａ〜１４ｃを介して高圧基板６０に接続され、高圧基板６０から各プロセスユニットに高電圧が安定的に供給される。
【００２９】
而して、本実施の形態では、カラー用の高圧接点端子台１の接点保持部材２に設けられた固定部５とブラック用の高圧接点端子台１１の第１の接点保持部材１２に設けられた固定部１５によって高圧基板６０をネジ等の締結具を用いることなく簡単に装着することができるため、マゼンタ、シアン及びイエローのプロセスユニットは高圧接点端子台１に保持されたバネ接点４ａ〜４ｃ及び６ａ〜６ｃを介して、ブラックのプロセスユニットは高圧接点端子台１１の第２の接点保持部材２２に保持されたバネ接点２４ａ〜２４ｃと２６ａ〜２６ｃ及び第１の接点保持部材１２に保持されたバネ接点１６ａ〜１６ｃと１４ａ〜１４ｃを介してそれぞれ高圧基板６０に簡単且つ効率良く接続される。
【００３０】
又、本実施の形態によれば、マゼンタ、シアン及びイエローのプロセスユニットが３つの高圧接点端子台１にそれぞれ設けられた位置決め部３により、又、ブラックのプロセスユニットが高圧接点端子台１１に設けられた位置決め部２３によってそれぞれ容易且つ正確に位置決めされた状態で装着されるため、各種プロセスユニットによって所望のフルカラー画像が安定的に形成される。
【図面の簡単な説明】
【００３１】
【図１】本発明に係る高圧接点端子台を備えた画像形成装置の本体フレームの外面斜視図である。
【図２】本発明に係る高圧接点端子台を備えた画像形成装置の本体フレームの内面斜視図である。
【図３】本発明に係るカラー用の高圧接点端子台の外面斜視図である。
【図４】本発明に係るカラー用の高圧接点端子台の内面斜視図である。
【図５】本発明に係るブラック用の高圧接点端子台の第１の接点保持部材と高圧基板の斜視図である。
【図６】図５の要部拡大詳細図である。
【図７】本発明に係るブラック用の高圧接点端子台の第１の接点保持部材の斜視図である。
【図８】本発明に係るブラック用の高圧接点端子台の第２の接点保持部材の斜視図である。
【符号の説明】
【００３２】
１              カラー用の高圧接点端子台
２              接点保持部材
３              位置決め部
４ａ〜４ｃ      バネ接点（高圧接点）
５              固定部
６ａ〜６ｃ      バネ接点（高圧接点）
７ａ〜７ｃ      ワイヤー
８              固定部
１１            ブラック用の高圧接点端子台
１２            第１の接点保持部材
１４ａ〜１４ｃ  バネ接点（高圧接点）
１５            固定部
１６ａ〜１６ｃ  バネ接点（高圧接点）
２２            第２の接点保持部材
２３            位置決め部
２４ａ〜２４ｃ  バネ接点（高圧接点）
２６ａ〜２６ｃ  バネ接点（高圧接点）
２７ａ〜２７ｃ  ワイヤー
５０            本体フレーム
６０            高圧基板
【図１】
0005049096.tif 000002
【図２】
0005049096.tif 000003
【図３】
0005049096.tif 000004
【図４】
0005049096.tif 000005
【図５】
0005049096.tif 000006
【図６】
0005049096.tif 000007
【図７】
0005049096.tif 000008
【図８】
0005049096.tif 000009